(57)【特許請求の範囲】
【請求項１】
それぞれ電源供給部を有する第１の画像処理装置と第２の画像処理装置とを接続した複合機器において、
第１の画像処理装置は、画像形成部、第１の電源、第１の電源への給電をオンオフするスイッチ手段、第１の電源の出力側に接続された分岐回路を有し、
第２の画像処理装置は、画像読み取り部、第２の電源、前記分岐回路に接続され第２の電源への給電オンオフを制御する手段を有し、前記スイッチ手段のオンにより第２の電源への給電を行うことを特徴とする複合機器。
【請求項２】
請求項１に記載の複合機器において、前記分岐回路に接続され第２の電源への給電オンオフを制御する手段は、継電器であることを特徴とする複合機器。
【請求項３】
請求項１に記載の複合機器において、前記第１の画像処理装置と第２の画像処理装置は、情報伝送線と電源制御線が同一ケーブル内に配置された接続線で接続可能としたことを特徴とする複合機器。
【請求項４】
請求項１に記載の複合機器において、前記第１の画像処理装置は電源端子を有し、
前記第２の画像処理装置はＡＣ電源のアウトレットを有し、かつ、前記第１の画像処理装置は前記電源端子を第２の画像処理装置のアウトレットに接続したことを特徴とする複合機器。
【請求項５】
請求項１に記載の複合機器において、前記第１の画像処理装置がプリンタであり、第２の画像処理装置がスキャナであることを特徴とする複合機器。
【発明の詳細な説明】
【０００１】
【発明の属する技術分野】
本発明は、プリンタとスキャナのような異なる機能を有する複数の機器を組合わせて使用する複合機器において、一方の機器の電源供給装置のオンオフを他方の機器から制御する複合機器に関する。
【０００２】
【従来の技術】
デジタルプリンタにオプションとしてスキャナユニットを後付けし、デジタルプリンタに複写機能を実現させることが行われている。このような場合、スキャナユニットへの電源供給は、イ）デジタルプリンタにスキャナ用電源を装備する、ロ）デジタルプリンタとスキャナユニットにそれぞれ独立して電源供給ユニットを装備する、方式がとられている。
【０００３】
【発明が解決しようとする課題】
上記方式によれば、イ）の方式においては、デジタルプリンタのＡＣ入力を分岐してスキャナユニットの電源供給装置に入力するため、デジタルプリンタにおいて自己の電源容量とスキャナユニットの電源容量を勘案して総電力容量の設備を装備しなければならず、電源供給装置の規模が拡大する、このために設備コストがかかる、スキャナユニットを使用しないユーザーにとってはスキャナユニット用電源は不要でありそのコスト負担をすることは不合理である等の問題点があった。また、ロ）の方式においては、デジタルプリンタ及びスキャナユニットそれぞれ単独で電源のオンオフ操作が生じるため、操作性が悪く使用に不便である。２電源方式ではＡＣコードが２本必要となり、ユーザーの使用設備環境において２つの商用電源コンセントが必要になる等の問題点があった。
【０００４】
本発明は、かかる実情に鑑みてなされたもので、その目的は、例えばデジタルプリンタと別体のデジタルスキャナを接続してデジタルプリンタに複写機能を持たせるような複合機器において、一方の機器から他方の機器の電源供給装置のオンオフを制御可能にすることである。
【０００５】
【課題を解決するための手段】
請求項１の発明は、それぞれ電源供給部を有する第１の画像処理装置と第２の画像処理装置とを接続した複合機器において、第１の画像処理装置は、画像形成部、第１の電源、第１の電源への給電をオンオフするスイッチ手段、第１の電源の出力側に接続された分岐回路を有し、第２の画像処理装置は、画像読み取り部、第２の電源、前記分岐回路に接続され第２の電源への給電オンオフを制御する手段を有し、前記スイッチ手段のオンにより第２の電源への給電を行うことを特徴とする複合機器である。
請求項２の発明は、請求項１に記載の複合機器において、前記分岐回路に接続され第２の電源への給電オンオフを制御する手段は、継電器であることを特徴とする複合機器である。
請求項３の発明は、請求項１に記載の複合機器において、前記第１の画像処理装置と第２の画像処理装置は、情報伝送線と電源制御線が同一ケーブル内に配置された接続線で接続可能としたことを特徴とする複合機器である。
請求項４の発明は、請求項１に記載の複合機器において、前記第１の画像処理装置は電源端子を有し、前記第２の画像処理装置はＡＣ電源のアウトレットを有し、かつ、前記第１の画像処理装置は前記電源端子を第２の画像処理装置のアウトレットに接続したことを特徴とする複合機器である。
請求項５の発明は、請求項１に記載の複合機器において、前記第１の画像処理装置がプリンタであり、第２の画像処理装置がスキャナであることを特徴とする複合機器である。
【００１１】
【発明の実施の形態】
以下、本発明の実施形態について説明する。
図１は、本発明が適用されるデジタルプリンタとスキャナユニットの内部概略構成図であり、図中、デジタルプリンタ１は、パソコン３を接続することにより、単体でプリンタとして機能し、そのためにパソコン３で作成された画像データは、コントローラモジュール１１に転送され、必要な画像処理がなされた後、プリンタエンジン１２に出力されて印刷出力される。
これらコントローラモジュール１１及びプリンタエンジン１２には、電源供給ユニット１３から電源が供給される。電源供給ユニット１３は、スイッチ１４を介して電源プラグ１５から商用電源コンセントに接続されている。スイッチ１４をオンオフすることによりデジタルプリンタ２への電源供給をオンオフすることができる。
【００１２】
一方、スキャナユニット２は、画像処理ユニット２１及びイメージ処理ユニット２２を備え、画像処理ユニット（ＶＰＵ）２１は、図示しないＣＣＤで読取った画像信号を、信号増幅、信号合成、可変増幅、デジタル化処理の工程等を経て、デジタル化した画像データを形成する。また、イメージ処理ユニット（ＩＰＵ）２２は、画像処理ユニット２１でデジタル化された画像データを受取り、編集、加工してデジタルプリンタ１に受け渡すインターフェースである。
画像処理ユニット２１及び及びイメージ処理ユニット２２は、電源供給ユニット（ＰＳＵ）２３から電源が供給され、この電源供給ユニット２３は、さらにリレー２４を介して電源プラグ２５から商用電源コンセントに接続される。リレー２４は、後述するケーブル３１により、デジタルプリンタ１の電源供給ユニット１３の出力側（DC +24V）に接続され、その出力によって駆動されるようになっている。従って、この出力をオンオフすることにより、電源供給ユニット２３に対する電源プラグ２５からのＡＣ入力をオンオフすることができる。
【００１３】
デジタルプリンタ１のプリンタエンジン１２とスキャナユニット２のイメージ処理ユニット２２との間のデータ通信は、データバス、制御線、電源線が一体として形成されたケーブル３１を介して行われる。このケーブル３１は、デジタルプリンタ１及びスキャナユニット２に着脱可能になっており、デジタルプリンタ１とスキャナユニット２とを接続する場合、このケーブル３１で接続する。
【００１４】
ここで、電源プラグ１５、２５をそれぞれ商用電源コンセント（非図示）に接続し、デジタルプリンタ１に設けられたスイッチ１４をＯＮすると、電源供給ユニット１３へＡＣ電源が供給され、コントローラモジュール１１、プリンタエンジン１２へのＤＣ電源（+5V、+24V）の供給が開始される。それと同時に、電源供給ユニット１３のＤＣ出力は、スキャナユニット２のリレー２４に供給され、リレー接点が閉じて電源供給ユニット２３へＡＣ電源の供給がなされる。これにより、画像処理ユニット２１、イメージ処理ユニット２２へのＤＣ電源（+5V、+24V）の供給が開始される。
次に、スイッチ１４をＯＦＦすると、電源供給ユニット１３へのＡＣ電源の供給が遮断し、コントローラモジュール１１、プリンタエンジン１２へのＤＣ電源供給がＯＦＦされる。それと同時に、リレー２４へのＤＣ出力もＯＦＦされ、リレー２４の接点が開いて電源供給ユニット２３へのＡＣ電源の供給が遮断される。これにより、画像処理ユニット２１、イメージ処理ユニット２２へＤＣ電源の供給がＯＦＦされる。
【００１５】
このように、デジタルプリンタ１を単独で使用する場合でも、またデジタルプリンタ１にオプションとしてスキャナユニット２を装着してコピー機能を実現する場合でも、デジタルプリンタ１側のスイッチ１４のＯＮ／ＯＦＦだけで、すなわちデジタルプリンタ側の操作のみでプリンタ１と外付けスキャナ２両方の電源のオンオフを制御することができる。更に、デジタルプリンタ２は、単独でリレー２４を制御可能にしておくことにより、単独で電源プラグ２５からのＡＣ電源入力をオンオフ可能であり、コピー機能を実現できる。
【００１６】
また、デジタルスキャナ２は、電源プラグ２５に接続されるアウトレット２６を備えている。このアウトレット２６は他方の電気機器の電源取得端子として使用することができるが、デジタルプリンタ１の電源プラグ１５を嵌合させて、デジタルプリンタ１のＡＣ電源を取得するようにしてもよい。アウトレット２６を使用することにより、ユーザー環境において、使用する商用電源コンセントの数を減らすことができる。
【００１７】
【発明の効果】
請求項１に対応する効果：他方の画像処理装置において一方の画像処理装置の電源供給能力設備を備える必要がなくなるので、機器構成が簡単になり、設備コストが安くなる。また他方の画像処理装置から一方の画像処理装置の電源供給装置のオンオフを制御するので、両装置において同じオンオフ制御の操作を行う必要がなくなる。また、一方の画像処理装置のオンオフ制御だけでよいので、電源のオンオフ操作が楽になる。
請求項２に対応する効果：小型且つ簡単な部品でオンオフ制御を行うことができる。
請求項３に対応する効果：複合機器の接続を簡単に実行することができる。
請求項４に対応する効果：ユーザー環境において、使用する商用電源コンセントの数を減らすことができる。
請求項５に対応する効果：請求項１乃至５に対応する効果をプリンタとスキャナにおいて実現することができる。
【図面の簡単な説明】
【図１】本発明の実施形態に係る複合機器の接続構成図である。
【符号の説明】
１・・デジタルプリンタ、２・・デジタルスキャナ、３・・パソコン、１３・・電源供給装置、１４・・スイッチ、２３・・電源供給装置、２４・・リレー
【図１】
0003738963.tif 000002